(57)【要約】【課題】  簡単な操作で排紙トレイの角度を変化させ、印刷品位に対応した精度の高い記録を実現する。【解決手段】  記録装置本体に対して回転する排紙トレイであり、排紙トレイ本体に収納されるスライド式の補助トレイを、排紙トレイ本体上面より露出させ、記録装置本体に設けた凸形状に突き当てる。補助トレイを引き出した状態では、排紙トレイ本体内に設けたリブ形状が前記凸形状に突き当たるようにする。これにより補助トレイの収納・引き出しに合わせて、排紙トレイ全体の角度を変化させることが可能となる。【選択図】  図１
2006168897.tif 000002
【特許請求の範囲】
【請求項１】
記録装置本体に対して回転可能な函体形状をなし、その上面を記録装置から搬出される記録媒体を積載・保持する用紙積載面として使用する排紙トレイ本体と、その内部に用紙積載面と平行にスライドして収納可能な補助トレイとから構成され、前記補助トレイの収納時に収納方向端部で前記排紙トレイ本体の一部に切り欠きを設けて前記補助トレイの一部を前記排紙トレイ本体から露出させるとともに、その露出した前記補助トレイに当接する凸部を記録装置本体に設けたことを特徴とする記録装置。
【請求項２】
請求項１に記載の記録装置において、前記補助トレイが引き出された状態では、記録装置本体に設けられた前記凸部が当接するストッパ部を、函体をなす前記排紙トレイ本体内部に設けたことを特徴とする記録装置。
【請求項３】
請求項２に記載の記録装置において、前記排紙トレイ本体内部に設けられた前記ストッパ部は、収納された前記補助トレイの下面を受けるようにしたことを特徴とする記録装置。
【発明の詳細な説明】
【技術分野】
【０００１】
本発明は記録装置から搬出される記録媒体を積載・保持する排紙トレイに関するものである。
【背景技術】
【０００２】
従来、インクジェットプリンタ等の記録装置では、印刷が完了した用紙を積載するための排紙トレイが設けられている。その一部は用紙の長さに応じて伸長可能な補助トレイと、その補助トレイを収納する排紙トレイ本体とから構成されている。補助トレイはスライドなどにより排紙トレイ本体に対して出し入れされ、補助トレイを引き出した状態では前記用紙積載面が用紙排出方向に伸長することとなり、長尺の用紙の積載を可能としているものも存在する。
【０００３】
このような排紙トレイでは、さまざまな記録媒体、印刷品位に対応して精度の高い記録を達成するために、排紙トレイの角度を変更する機構が考案されている（例えば特許文献１および２参照。）。
【特許文献１】特開２００２−３３２１５６号公報（段落００２６、図４）
【特許文献２】特開２００３−２９２２３１号公報（段落００１４、図２）
【発明の開示】
【発明が解決しようとする課題】
【０００４】
しかしながら上記特許文献１の一実施例に示された従来技術では、排紙トレイに挿入した別部材をユーザーが入れ直して排紙トレイの角度を変更する必要があり、ユーザーの手を煩わせることになっていた。また同文献の他の実施例、および上記特許文献２の実施例に示された従来技術では、モータやソレノイド等の電気部品を使用しているため、構成の複雑化、コストアップ等の原因となっていた。
【０００５】
そこで本発明はこのような課題を解決し、函体とそれに収納可能に設けた板状部材とから構成される排紙トレイにおいて、用紙種類等に応じて用紙積載面の角度を少ない手順で容易に変えられるように考案されたものである。
【課題を解決するための手段】
【０００６】
上記課題を解決するための本発明の構成は、記録装置本体に対して回転可能な函体形状をなし、その上面を記録装置から搬出される記録媒体を積載・保持する用紙積載面として使用する排紙トレイ本体と、その内部に用紙積載面と平行にスライドして収納可能な補助トレイとから構成され、補助トレイ収納時において収納方向端部で排紙トレイ本体の一部に切り欠きを設けて補助トレイの一部を露出させ、その露出した補助トレイに当接する凸部を記録装置本体に設けて、排紙トレイ本体の回転が抑制されるようにしたものである。
【０００７】
また上記構成において、補助トレイが引き出された状態では、記録装置本体に設けられた凸部が、函体をなす排紙トレイ本体内部に設けられたストッパ部に当接して、排紙トレイ本体の回転が抑制されるようにしたものである。
【０００８】
また上記排紙トレイ本体内部に設けられたストッパ部は、収納された補助トレイの下面を受けるようにしたものである。
【発明の効果】
【０００９】
本発明によれば、記録装置本体に対して回転可能に設けられた排紙トレイ本体の内部にスライドして収納可能な補助トレイを設け、補助トレイ収納時において収納方向端部で補助トレイの一部を排紙トレイ本体から露出させるとともに、収納時にはその露出した補助トレイに当接するように、また補助トレイが引き出された状態では補助トレイの下面を受ける排紙トレイ本体内部に設けられたストッパ部が当接するように記録装置本体に凸部を設けたことにより、補助トレイを収納した状態と引き出した状態とで排紙トレイ本体の角度が変わるようにしたため、補助トレイを収納するか引き出すかという簡単な操作だけで部品点数を増加させることなく、排紙トレイ本体の角度を変えることが可能となった。
【発明を実施するための最良の形態】
【００１０】
（第１の実施の形態）
本発明による第１の実施の形態について説明する。
【００１１】
図１は本発明による記録装置の斜視図である。ここでは排紙トレイ本体１００を開いた状態、つまり使用状態を示している。記録装置本体１は下ケース２、上ケース３、アクセスカバー４、給紙トレイ５、排紙トレイ本体１００、操作部２００といった外装部材から構成されていて、記録装置本体１内部には図示しない印刷機構が内蔵されている。給紙トレイ５上には用紙６が積載可能となっている。排紙トレイ本体１００は記録装置本体１に対して回転自在に設けられていて、非使用状態においては図示しないロック機構により記録装置本体１にロックされている。
【００１２】
用紙６は図示しない分離機構によって１枚ずつ分離された後、給紙ローラによって搬送され、記録装置本体１内部の印刷機構（図示せず）へと搬送され、印刷が行われる。印刷機構により印刷された用紙６は排紙開口部７から記録装置本体１の外部へ搬出され、排紙トレイ本体１００上に順次積載される。
【００１３】
排紙トレイ本体１００は下ケース２に回転可能な函体を形成する排紙トレイケース１０１と排紙トレイカバー１０２、さらにこの函体内にスライドして収納される補助トレイ１０３とから構成されている。ここで補助トレイ１０３は排紙トレイケース１０１と排紙トレイカバー１０２とからなる函体に対して、用紙積載面である排紙トレイカバー１０２の上面１０２ａに平行にスライドして、その内部に収納可能に設けられている
アクセスカバー４はその一端部を中心として上ケース３に対して回転自在に設けられ、その回転によって記録装置本体１の上面に設けられた開口部（図示せず）を開閉できるようになっている。このアクセスカバー４を開くことにより、記録装置本体１内部に収納されている記録ヘッドやインクタンク（以上、図示せず）等の交換が可能となる。
【００１４】
操作部２００には電源キー２０１、レジュームキー２０２が押下可能に設けられ、記録装置本体１内に配置された操作基板（図示せず）上のスイッチの入力が可能となっている。同様に操作基板上に設けられたＬＥＤ（発光ダイオード）の光を導き、拡散させるためのライトガイド２０３が設けられている。このＬＥＤは点灯、点滅により、記録装置本体１の様々な状態をユーザーに対して知らせる表示機能を備えている。
【００１５】
排紙トレイカバー１０２の記録装置本体１側には切り欠き部１０２ｂが設けられていて、記録装置本体１に設けられた凸部８が当接して、排紙トレイ本体１００の回転を規制している（詳細は後述する）。
【００１６】
図２は排紙トレイ本体１００の構成を示す分解斜視図（一部透視図）である。排紙トレイ本体１００は、記録装置本体１に対する回転軸１０１ａを有する排紙トレイベース１０１と、その開口部を覆う排紙トレイカバー１０２とにより函体を形成している。
【００１７】
排紙トレイカバー１０２の上面１０２ａの裏面からは、同面に垂直かつ補助トレイ１０３の収納方向である矢印１０４に平行に２本のリブ１０２ｃ、またそのリブ１０２ｃから補助トレイ１０３の側面１０３ａに向かってガイドリブ１０２ｄがそれぞれ設けられている。このガイドリブ１０２ｄは補助トレイ１０３の側面１０３ａに設けられた溝部１０３ｂに嵌合している。この溝部１０３ｂはその一端１０３ｃが開放されていて、補助トレイ１０３を排紙トレイカバー１０２に挿入可能となっている。またもう一端１０３ｄは閉鎖されていて、補助トレイ１０３を排紙トレイカバー１０２に収納した状態で、排紙トレイカバー１０２のガイドリブ１０２ｄの端部１０２ｅに突き当たり、補助トレイ１０３の収納方向におけるストッパとなっている。排紙トレイカバー１０２の中央部には切り欠き部１０２ｆが設けられていて、補助トレイ１０３を収納した際に、補助トレイ１０３に設けられた手掛かり部１０３ｅが露出して、補助トレイ１０３を引き出し可能としている。
【００１８】
排紙トレイベース１０１の排紙トレイカバー１０２の切り欠き部１０２ｂに対向する位置には、同様に切り欠き部１０１ｂと、その切り欠き部１０１ｂより下方にガイドリブ１０１ｃがそれぞれ形成されている。
【００１９】
図３は補助トレイ１０３を排紙トレイ本体１００に収納した状態を、また図４は補助トレイ１０３を排紙トレイ本体１００から引き出した状態をそれぞれ示す側断面図である。ここでは記録装置本体１の凸部８と排紙トレイ本体１００との係合状態を示すため、同凸部８での側断面図、同時に排紙トレイベース１０１の切り欠き部１０１ｂ、また排紙トレイカバー１０２の切り欠き部１０２ｂでの側断面図となっている。
【００２０】
図３では記録装置本体１に設けられた凸部８と排紙トレイベース１０１に設けられたガイドリブ１０１ｃとの間に補助トレイ１０３が挟まれた状態で収納されているため、補助トレイ１０３が排紙トレイ本体１００の回転ストッパとなっている。また図４では補助トレイ１０３を引き出しているため、記録装置本体１の凸部８には排紙トレイベース１０１のガイドリブ１０１ｃが突き当たって、排紙トレイ本体１００の回転ストッパとなっている。これらを比較してわかるように、補助トレイ１０３を引き出した状態では排紙トレイ本体１００の自重によって矢印１０５方向に回転するため、排紙トレイ本体１００はより低い位置となる。つまり補助トレイ１０３を引き出すことにより、排紙トレイ本体１００の角度を簡単に変えることが可能となる。
【図面の簡単な説明】
【００２１】
【図１】本発明による実施の形態である記録装置本体の使用状態を示す斜視図である。
【図２】本発明による実施の形態において、排紙トレイ本体の構成を示す分解斜視図である。
【図３】本発明による実施の形態において、記録装置本体の排紙部の、補助トレイを排紙トレイ本体に収納した状態を示す側断面図である。
【図４】本発明による実施の形態において、記録装置本体の排紙部の、補助トレイを排紙トレイ本体から引き出した状態を示す側断面図である。
【符号の説明】
【００２２】
１  記録装置本体
２  下ケース
３  上ケース
６  用紙
１００  排紙トレイ本体
１０１  排紙トレイベース
１０２  排紙トレイカバー
１０３  補助トレイ
２００  操作部
【図１】
2006168897.tif 000003
【図２】
2006168897.tif 000004
【図３】
2006168897.tif 000005
【図４】
2006168897.tif 000006